(57)【要約】【課題】特に都市部の街路樹等として人為的に植設されている樹木の根の隆起方向への伸長を抑制するための方法と、その方法に用いられる樹根の忌避用シート材に関し、樹根の横方向への伸長を阻害することなく、樹根の地表面への隆起を抑制し、街路の舗装部分におけるブロック等を持ち上げるのを好適に防止することを課題とする。【解決手段】樹木の根元部における樹根の上部側に、孔径が０．３ｍｍ  〜１０ｍｍである透孔を多数有するシートに樹根の隆起を抑制する忌避剤を具備させた樹根忌避用シート材を、少なくとも水平方向に配置することを特徴とする。【選択図】    図５
2004168681.tif 000002
【特許請求の範囲】
【請求項１】
樹木の根元部における樹根の上部側に、孔径が０．３ｍｍ  〜１０ｍｍである透孔を多数有するシートに樹根の隆起を抑制する忌避剤を具備させた樹根忌避用シート材を、少なくとも水平方向に配置することを特徴とする樹根の隆起方向への伸長抑制方法。
【請求項２】
樹根の伸長を抑制する忌避剤を、孔径が０．３ｍｍ  〜１０ｍｍである透孔を多数有するシートに具備させてなることを特徴とする樹根の忌避用シート材。
【発明の詳細な説明】
【０００１】
【発明の属する技術分野】
本発明は、樹根の隆起方向への伸長抑制方法、特に都市部の街路樹等として人為的に植設されている樹木の根の隆起方向への伸長を抑制するための方法と、その方法に用いられる樹根の忌避用シート材に関する。
【０００２】
【従来の技術】
近年、都市緑化を普及させる観点から、人為的に樹木を植設する技術が種々開発されている。このような人為的に樹木を植設する技術は、大規模開発地域、都市計画地域、博覧会場等の比較的広いスペースのある地域で行われることはもちろんであるが、都市部の街路樹等として建造物に近接するような狭い地域においてもまたなされている。
【０００３】
しかし、人為的に植設された樹木といえども、その樹木の生育に伴う樹根の伸長力は山林等の自然地に存在する樹木と何ら変わるところがない。従って、上述のように建造物に近接するような都市部の狭い地域に街路樹等として植設された樹木の根系は、その近接した建造物等に侵入するおそれがある。また、樹木の根系は上側へも隆起し、街路の舗装部分のブロック等を持ち上げるおそれもある。
【０００４】
そこで、このような問題点を解決するために、防根シート、耐根シート等と称されるシートが用いられている。このような従来のシートは、建造物等への侵入を防止する観点から、主として樹根の横方向への過剰な伸長を抑制するために、地面に埋設しつつ垂直方向に配設されている。
【０００５】
【発明が解決しようとする課題】
しかし、樹木の成長は、本来樹根の横方向への伸長によって促進され、またそれによって樹木の支持力も増大し、不用意な傾倒も防止される。従って、樹根の横方向への伸長を抑制することは、樹木の成長に支障をきたし、本質的に望ましくないことである。
【０００６】
また、上記のようなシートを垂直方向に配設した場合、樹根が地表面へ隆起しようとするのを防止することはできない。
【０００７】
さらに、従来の上記のようなシートは透水性、通気性に乏しく、目詰まりを起こし易いことから、仮に土中で水平方向に埋設した場合にはその部分に水が溜まり、根の成長を阻害するおそれがある。このような理由からも上記のようにシートが垂直方向に配設されていたのであるが、垂直方向に配設すると踏圧等により、樹根を埋設している土が硬くなる傾向がある。そしてこのように土が硬くなると、樹根は横方向よりも上方向に伸長し易くなる。この結果、上記のような樹根の地表面への隆起がより生じ易くなる。
【０００８】
本発明は、上述のような問題点を解決するためになされたもので、樹根の横方向への伸長を阻害することなく、樹根の地表面への隆起を抑制し、街路の舗装部分におけるブロック等を持ち上げるのを好適に防止することを課題とするものである。
【０００９】
【課題を解決するための手段】
本発明は、このような課題を解決するために、樹根の隆起方向への伸長抑制方法と、その伸長抑制方法に用いる樹根の忌避用シート材としてなされたもので、樹根の隆起方向への伸長抑制方法の特徴は、樹木の根元部における樹根の上部側に、孔径が０．３ｍｍ  〜１０ｍｍである透孔を多数有するシートに樹根の隆起を抑制する忌避剤を具備させた樹根忌避用シート材を少なくとも水平方向に配置することである。
【００１０】
また、樹根の忌避用シート材としての特徴は、樹根の伸長を抑制する忌避剤を、孔径が０．３ｍｍ  〜１０ｍｍである透孔を多数有するシートに具備させてなることである。
ここで透孔の孔径とは、忌避用シート材を構成する繊維自体のいわゆる気孔径ではなく、透水孔や通気孔として機能するように完成品としての忌避用シート材に多数形成されている透孔の平均孔径を意味するものである。
【００１１】
忌避用シート材のシートに具備させる忌避剤としては、たとえば２−（４−クロロ−２−メチルフェノキシ）−プロピオン酸ポリグリコールエステル、トリフルラリン、銅若しくは銅化合物のようなものが用いられる。
【００１２】
また、孔径が０．３ｍｍ  〜１０ｍｍである孔を多数有するシートは、たとえばスパンボンド不織布、ポリアミド、ポリエステル、ポリプロピレン等の合成繊維からなる不織布、布帛、網状物のような素材で構成される。
【００１３】
【発明の実施の形態】
以下、本発明の実施形態について図面に従って説明する。
【００１４】
先ず、図１に示すように、樹根の忌避用シート材１を準備する。この忌避用シート材１は、同図に示すように、略長方形状のシートからなり、全体がポリエステル長繊維を含有するスパンボンド不織布で構成されている。本実施形態では、忌避用シート材１が多数有する透孔の平均孔径は１ｍｍに形成されている。
【００１５】
この忌避用シート材１の略中央には略円形の孔２が穿設されており、その孔２から忌避用シート材１の側縁側にかけて、樹木の根元部を挿入するための切欠３が形成されている。
【００１６】
また、この忌避用シート材１には、樹根の伸長を抑制する忌避剤が含浸されている。本実施形態では、忌避剤として２−（４−クロロ−２−メチルフェノキシ）−プロピオン酸ポリグリコールエステル（商品名プリベントールＢ２：バイエル社）が用いられている。
【００１７】
一方、人為的に植設される樹木４は、図２に示すように、予め根鉢５を植穴６内に収納し、その植穴６内に土砂７を埋設することによって支持固定される。
【００１８】
このように施工された樹木４の周辺部に、図３に示すように前記忌避用シート材１を設置する。より具体的には、同図のように忌避用シート材１の切欠３の部分を樹木４の根元部８に挿入し、切欠３と連通する孔２を樹木４の根元部８に外嵌させる。これによって、忌避用シート材１は、樹木４の根元部８から不用意に離間することなく、その樹木４の根元部８の周囲に敷設されることとなる。
【００１９】
その後、図４に示すように、忌避用シート材１の上部に、多数のインターロッキングブロック９を載置する。これによって、忌避用シート材１も固定されることとなる。この場合、忌避用シート材１の上面側には、図示しないが、土砂が薄く積層され、忌避用シート材１は地表面に裸出せず、インターロッキングブロック９のみが地表面に裸出した状態とされる。
【００２０】
年月の経過により樹根１０は図５に示すように伸長するが、本実施形態では地表面の近傍に忌避剤が含浸された忌避用シート材１が設置されているため、その忌避用シート材１は樹根１０の上部に存在することとなる。
【００２１】
従って、樹根１０が上部に隆起するように伸長しようとしても、上記忌避用シート材１に含浸された忌避剤によってその隆起方向への樹根１０の伸長が阻止されることとなる。
【００２２】
この結果、樹根１０の隆起によってインターロッキングブロック９が持ち上げられるのが好適に防止されることとなる。
【００２３】
また、忌避用シート材１は水平方向に設置されているので、樹木の成長にとって望ましい樹根１０の横方向への伸長が妨げられることがない。
【００２４】
さらに、忌避用シート材１の透孔の平均孔径が１ｍｍに形成されているので、土中の透水性、通気性が損なわれることもない。また、踏圧が加わっても忌避用シート材１の存在により踏圧が分散されることになるので踏圧が軽減され、樹根１０を埋設している土が硬くなることもない。よって、この観点からも樹根１０の横方向への伸長は妨げられることはないのである。
【００２５】
尚、上記実施形態では、忌避用シート材１が平面略長方形状に形成されていたが、忌避用シート材１の形状は上記実施形態に限定されるものではなく、たとえば平面略円形状や略三角形状に形成されていてもよく、その形状は問わない。
【００２６】
また、上記実施形態では、忌避用シート材１がポリエステル長繊維を含有するスパンボンド不織布で構成されていたが、忌避用シート材１の材質も該実施形態に限定されるものではなく、たとえばポリプロピレンからなる不織布を用いることも可能であり、これ以外の素材からなる不織布を用いることも可能である。さらには、織布、布帛、網状物、孔を開けた布帛を用いることも可能である。従って、忌避用シート材１の透孔の孔径とは、いわゆるメッシュとして認識されている網目のごとき孔や、不定形の孔等、種々の形態の透孔の平均孔径を意味するものである。
【００２７】
さらに、上記実施形態では、透孔の平均孔径が１ｍｍに形成されたシート材を用いたが、透孔の平均孔径は該実施形態に限定されるものではなく、要は０．３ｍｍ  〜１０ｍｍに形成されていればよい。
【００２８】
透孔の孔径が０．３ｍｍ  より小さくなると、通気性が低下して土が硬くなるとともに、透水性も低下して水分の浸透が不十分となり、その結果、樹木の成長に必要な根の伸長が不良となる一方で、孔径が１０ｍｍより大きくなると、忌避剤の含浸量が低減するとともに、樹根が網目を通過して隆起方向への根の伸長を抑制できないおそれがあるからである。
【００２９】
この観点からは、透孔の孔径は０．５ｍｍ  〜６ｍｍであることがより好ましく、１．０ｍｍ  〜３．０ｍｍ  であることがさらに好ましい。
【００３０】
さらに、上記実施形態では、忌避用シート材１に含浸する忌避剤として２−（４−クロロ−２−メチルフェノキシ）−プロピオン酸ポリグリコールエステルを用いたが、忌避剤の種類もこれに限定されるものではなく、たとえばトリフルラリン、銅若しくは銅化合物等を用いることも可能である。
【００３１】
さらに、上記実施形態では、忌避用シート材１の略中央には略円形の孔２が穿設され、その孔２から忌避用シート材１の側縁側にかけて切欠３が形成されていたため、その切欠３の部分を樹木４の根元部８に挿入し、切欠３と連通する孔２を樹木４の根元部８に外嵌させることによって、忌避用シート材１を樹木４の根元部８の周囲に好適に設置することができるという好ましい効果が得られたが、このような孔２や切欠３を形成することは本発明に必須の条件ではない。
図６に示すような孔や切欠が形成されていない忌避用シート材１を使用することも可能である。このような孔や切欠が形成されていない忌避用シート材１は、たとえば樹木と樹木との間の箇所に敷設され、或いは複数の忌避用シート材１を樹木の周りに敷設する等によって使用される。
【００３２】
さらに、上記実施形態では、忌避用シート材１の上面側に土砂を薄く積層して忌避用シート材１が地表面に裸出しないようにした上で忌避用シート材１の上部にインターロッキングブロック９を載置したが、土砂を積層せずに直接忌避用シート材１にインターロッキングブロック９を載置することも可能である。
【００３３】
さらに、上記実施形態では、樹木４の根元部８の周囲にインターロッキングブロック９を載置して施工したが、インターロッキングブロックに変えてマルチング材等の舗装材、タイル、れんが等を載置し、或いは土壌や木材チップ等を被せて施工することも可能である。
【００３４】
さらに、上記実施形態では、含浸させることによって忌避剤が忌避用シート材１に具備されていたが、含浸に限らず、コーティング等によって具備させてもよい。ただし、作業効率の観点からは、忌避剤を収容した貯留槽にシートを浸漬して、忌避剤をシートに含浸させることが好ましい。
【００３５】
さらに、上記実施形態では、１枚の忌避用シート材１のみを配設したが、２枚以上のシートを積層して使用することも可能である。たとえばメッシュ状のものと不織布とを積層して使用することも可能である。さらに２枚以上のシートを貼り付けて使用することも可能である。
【００３６】
上記実施形態のように１枚の忌避用シート材１のみを使用する場合であっても、また２枚以上のシートを積層若しくは貼り付けて使用する場合であっても、土の透水係数はＪＩＳ  Ａ−１２１８による測定で１０−１ｃｍであることが必要である。
【００３７】
さらに、上記実施形態では、忌避用シート材１を水平方向のみに配設したが、１の忌避用シート材１を水平方向に配設した上で、他の忌避用シート材１を従来と同様に垂直方向に配設することも可能である。
【００３８】
【発明の効果】
以上のように、本発明においては、樹木の根元部における樹根の上部側に、樹根の隆起を抑制する忌避剤を具備させた樹根忌避用シート材を配置したため、樹根が上部に隆起するように伸長しようとしても、忌避用シート材に具備された忌避剤によってその隆起方向への樹根の伸長が阻止され、従って、インターロッキングブロック、その他の街路の舗装部分におけるブロック等が不用意に持ち上げるのが好適に防止されるという効果がある。
この結果、樹木が植設されている舗道の近辺において歩行者に危険を及ぼすようなこともない。
【００３９】
また、忌避用シート材は少なくとも水平方向に設置されているので、樹根の横方向への伸長が妨げられることもなく、従って樹木の成長に支障をきたすようなことも防止される。この結果、樹木の支持力が損なわれることもないので、樹木の不用意な傾倒が生ずるおそれもない。
【００４０】
さらに、忌避用シート材が水平方向に設置されているので、忌避用シート材の存在により踏圧が分散されることになり、従って土が締め固められることもないので、この観点からも樹根の伸長が妨げられることがない。
【００４１】
さらに、忌避用シート材の孔径が０．３ｍｍ  以上に形成されているので、忌避用シート材の通気性が低下して土が硬くなることがなく、また透水性が低下して水分の浸透が不十分となることがなく、樹根の伸長が妨げられることもない。
【００４２】
さらに、忌避用シート材の孔径が１０ｍｍ以下に形成されているので、樹根が忌避用シート材の孔部を通過して隆起方向へ伸長するようなこともない。
【図面の簡単な説明】
【図１】一実施形態としての忌避用シート材の平面図。
【図２】樹木を支持施工した状態の断面図。
【図３】樹木の根元部の周辺に忌避用シート材を設置する工程を示す断面図。
【図４】忌避用シート材にインターロッキングブロックを載置する工程を示す断面図。
【図５】樹根が伸長する状態を示す断面図。
【図６】他の実施形態の忌避用シート材の平面図。
【符号の説明】
１…忌避用シート材        ４…樹木
１０…樹根
【図１】
2004168681.tif 000003
【図２】
2004168681.tif 000004
【図３】
2004168681.tif 000005
【図４】
2004168681.tif 000006
【図５】
2004168681.tif 000007
【図６】
2004168681.tif 000008